(57)【要約】【課題】床面下に収納した状態でのガイドピンの収納長さを短く、床面から突出した状態でのガイドピンの突出長さを長くできる。直貼りフロアーのように床面下にガイドピンを収納するための深い収納部を設けることができないような場合でも適用できる。【解決手段】吊り戸１を上レール２にランナー３を介して走行自在に吊り下げ、床面４に磁力にて突出引退自在に設けられたガイドピン５を吊り戸１の下端面に形成された走行溝６に磁力で突出させて挿入することで走行ガイドを行う吊り戸１のガイド装置である。床面４下に本体７を埋設する。本体７内に先端に磁石８を設けた伸縮自在なガイドピン５を上方に突出自在に収納する。ガイドピン５を上方への突出状態で伸び且つ本体７への収納状態で収縮するように構成する。【選択図】        図１
2004225436.tif 000002
【特許請求の範囲】
【請求項１】
吊り戸を上レールにランナーを介して走行自在に吊り下げ、床面に磁力にて突出引退自在に設けられたガイドピンを吊り戸の下端面に形成された走行溝に磁力で突出させて挿入することで走行ガイドを行う吊り戸のガイド装置であって、床面下に本体を埋設し、本体内に先端に磁石を設けた伸縮自在なガイドピンを上方に突出自在に収納し、該ガイドピンを上方への突出状態で伸び且つ本体への収納状態で収縮するように構成して成ることを特徴とする吊り戸のガイド装置。
【請求項２】
ガイドピンを磁石を先端に設けた第１ガイドと第１ガイドが上方に突出自在に嵌め込まれた筒状をした第２ガイドとで構成し、第２ガイドを本体内に上方に突出自在に収納し、第１ガイドの下端部に係止部を設けると共に第２ガイドの上端部に係止部が係止自在な被係止部を設け、第１ガイドが磁力の吸引力で上方に引き上げられた際に係止部が被係止部に係止して第１ガイドに従動して第２ガイドが上方に引き上げられるように構成して成ることを特徴とする請求項１記載の吊り戸のガイド装置。
【請求項３】
筒状をした本体及び筒状をした第２ガイドの下端部を下方開口とし、第２ガイドの下開口部に第１ガイドの抜け止め部を形成すると共に筒状の本体の下開口部に第２ガイドの抜け止め部を形成して成ることを特徴とする請求項２記載の吊り戸のガイド装置。
【発明の詳細な説明】
【０００１】
【発明の属する技術分野】
本発明は、吊り戸の下部をガイドするための吊り戸のガイド装置に関するものである。
【０００２】
【従来の技術】
従来から吊り戸が上レールにランナーを介して走行自在に吊り下げられ、床面に磁力にて突出引退自在に設けられた１本のガイドピンが吊り戸の下端面に形成された走行溝にその突出状態で挿入されて走行ガイドを行う吊り戸のガイド装置が知られている。（例えば特許文献１、特許文献２、特許文献３参照）
上記従来例にあっては、例えば図１３に示すように（図１３には上記特許文献３における吊り戸のガイド装置が示してある）床面４下に埋設した本体７から上端部に磁石８を設けた１本のガイドピン５が磁力による吸引で上方に突出自在となっているため、ガイドピン５の上下移動長さを確保するには、１本のガイドピン５を床面４下に没入させるために床面４下にある一定の深さ（図１３において寸法Ｈで示す）が必要である。
【０００３】
ところで、近年床スラブ上に床材を直接貼り付けた直貼りフロアが普及しているが、このような直貼りフロアーの場合には上記ガイドピンを床面下に没入させるだけの深さを確保できず、したがって、上記従来例の吊り戸のガイド装置は直貼りフロアには使用できなかった。
【０００４】
【特許文献１】
実開平４−１１３６７０号公報
【特許文献２】
特開２００１−６５２２８号公報
【特許文献３】
特開平１１−７１９５４号公報
【０００５】
【発明が解決しようとする課題】
本発明は上記の従来例の問題点に鑑みて発明したものであって、床面下に収納した状態でのガイドピンの収納長さを短く、床面から突出した状態でのガイドピンの突出長さを長くできて、直貼りフロアーのように床面下にガイドピンを収納するための深い収納部を設けることができないような場合でも適用できる吊り戸のガイド装置を提供することを課題とするものである。
【０００６】
【課題を解決するための手段】
上記課題を解決するために、本発明の吊り戸のガイド装置は、吊り戸１を上レール２にランナー３を介して走行自在に吊り下げ、床面４に磁力にて突出引退自在に設けられたガイドピン５を吊り戸１の下端面に形成された走行溝６に磁力で突出させて挿入することで走行ガイドを行う吊り戸１のガイド装置であって、床面４下に本体７を埋設し、本体７内に先端に磁石８を設けた伸縮自在なガイドピン５を上方に突出自在に収納し、該ガイドピン５を上方への突出状態で伸び且つ本体７への収納状態で収縮するように構成して成ることを特徴とするものである。
【０００７】
このような構成とすることで、ガイドピン５が磁力により上方に突出して走行溝６に挿入した状態ではガイドピン５が伸張して十分な突出長さを確保でき、一方、ガイドピン５を床面４下に埋設した本体７内に収納した状態ではガイドピン５が収縮して収納状態における上下長さを短くでき、これによりガイドピン５を床面４下に収納するための収納部分の深さが浅くてもよいものである。
【０００８】
また、ガイドピン５を磁石８を先端に設けた第１ガイド９と第１ガイド９が上方に突出自在に嵌め込まれた筒状をした第２ガイド１０とで構成し、第２ガイド１０を本体７内に上方に突出自在に収納し、第１ガイドの下端部に係止部１１を設けると共に第２ガイドの上端部に係止部１１が係止自在な被係止部１２を設け、第１ガイドが磁力の吸引力で上方に引き上げられた際に係止部１１が被係止部１２に係止して第１ガイドに従動して第２ガイドが上方に引き上げられるように構成することが好ましい。
【０００９】
このような構成とすることで、第１ガイド９が磁力による吸引で上方に突出した際に、第１ガイド９に従動して第２ガイド１０が上方に突出して、これにより簡単な構成でガイドピン５が床面４から上方に突出した状態で伸張するものであり、一方、床面４下に収納された状態では第２ガイド１０が本体７内に収納され、第１ガイド９が第２ガイド１０内に収納され、簡単な構成でガイドピン５の収納深さを浅くできるものである。
【００１０】
また、筒状をした本体７及び筒状をした第２ガイド１０の下端部を下方開口とし、第２ガイド１０の下開口部に第１ガイド９の抜け止め部１３を形成すると共に筒状の本体７の下開口部に第２ガイド１０の抜け止め部１４を形成することが好ましい。
【００１１】
このような構成とすることで、第１ガイド９と第２ガイド１０との間から入り込んだごみや第２ガイドと本体７との間から入り込んだごみを本体７及び第２ガイド１０の下開口部から排出することができて詰まりを防止できるものであり、また、第２ガイド１０の下開口部に第１ガイド９の抜け止め部１３を形成すると共に筒状の本体７の下開口部に第２ガイド１０の抜け止め部１４を形成することで、下開口部を設けたと言えども、第１ガイド９、第２ガイド１０が必要以上に下方に落ち込むのを防止できるものである。
【００１２】
【発明の実施の形態】
以下本発明を添付図面に示す実施形態に基づいて説明する。
【００１３】
図２、図４に示すように、吊り戸１の上端の両端部にはランナー３が設けてあり、これらランナー３は天井などに取付けた上レール２に走行自在に嵌め込んであって、ランナー３を介して吊り戸１が上レール２に走行自在に吊り下げてある。上レール２の下方の床面４には図１乃至図５に示すように、上レール２に平行にガイドピン５が適宜間隔を隔てて磁力にて突出引退自在に設けてある。
【００１４】
吊り戸１の下端面には全長にわたって走行溝６が形成してある。図３に示すように、走行溝６の両端部にはそれぞれ吸引用磁石１５が取付けてあり、この吸引用磁石１５はいずれもＮ極とＳ極とが走行溝６の長手方向に並ぶように配置してある。この場合、両吸引用磁石１５の外側には同じ極が位置し且つ両吸引用磁石１５の内側には同じ極が位置するようにしてある。例えば、図３に示す実施形態に示すように一方の側端部に取付ける吸引用磁石１５の外側がＮ極、内側がＳ極とすると、他方の側端部に取付ける吸引用磁石１５も外側がＮ極、内側がＳ極となるように設定してある。また、上記吸引用磁石１５の両側には鉄板のような磁性体にて形成された傾斜ガイド１６が設けてある。また、走行溝６の上底部の両側端部の吸引用磁石１５間の部位には鉄板のような磁性体１５ａが設けてある。
【００１５】
次に、床面４にガイドピン５を突出引退自在に設けた吊り戸のガイド装置につき説明する。
【００１６】
吊り戸のガイド装置は図６乃至図８に示すようなもので、床面４下に埋設される本体７と、本体７内に上方に突出自在に収納されるガイドピン５とで構成してある。
【００１７】
床面４下に埋設される本体７は図６に示すように外筒１９と内筒２０とで構成してある。外筒１９は図９に示すように外周面部に食い込み用突起１７を有しており、床面４にドリルにより穴１８を穿孔し、この穴１８に外筒１９を打ち込んで、食い込み用突起１７を穴１８の内壁面に食い込ませることで外筒１９を床面４下に埋設固着するようになっている。ここで、外筒１９の上端部にはフランジ部２１が設けてあって、外筒１９の挿入深さを決めている。
【００１８】
内筒２０は図１０に示すようなもので、この内筒２０には内筒２０の中心に対して偏芯した位置にガイドピン挿入孔２５が上下に貫通して設けてあり、この偏芯したガイドピン挿入孔２５を有する内筒２０を外筒１９内に嵌め込むと共に内筒２０を外筒１９に対して周方向の嵌め込み位置を可変自在としてある。すなわち、外筒１９の内周面に周方向に一定間隔で複数の差し込み溝２３を設けると共に内筒２０の外周面に突起２４を設け、内筒２０を外筒１９に嵌め込む際に周方向に複数設けた差し込み溝２３のうち任意の差し込み溝２３に突起２４を嵌め込むことで、内筒２０を外筒１９に対して周方向に回転した複数位置のうち任意の位置で嵌め込み且つこの嵌め込み状態を差し込み溝２３への突起２４の嵌め込みによって保持して差し込み状態では周方向に回転しないように阻止している。したがって、差し込み溝２３、突起２４により各嵌め込み位置での嵌め込み状態において内筒２０が外筒１９に対して回転するのを阻止するストッパ手段が構成してある。なお、内筒２０の外周面に周方向に一定間隔で差し込み溝２３を設け且つ外筒１９の外周面に突起２４を設けるようにしてもよい。
【００１９】
内筒２０の上端部には鍔部２９が設けてあり、内筒２０の下端部の外周部には環状の係止溝２６が形成してあり、外筒１９の下端部に係止突起２８を備えた弾性を有する係止片２７を設けてあり、内筒２０を上記のように外筒１９内の周方向の任意の位置に嵌め込んだ状態で鍔部２９がフランジ部２１に当たって内筒２０の挿入深さを決めており、また、この状態で上記係止突起２８に環状をした係止溝２６が着脱自在に弾性的に嵌り込んで内筒２０の上方への不意な抜けを防止するようになっている。また、ドライバーなどの治具の先端を内筒２０の鍔部２９と外筒１９のフランジ部２１との間に差し込んで引き上げることで上記係止突起２８から係止溝２６を離脱させて内筒２０を上方に引き上げることができるようになっている。
【００２０】
内筒２０に設けた偏芯したガイドピン挿入孔２５内面部には下端部から上端部のやや下方位置までガイド溝３０が設けてあり、ガイド溝３０の上端部が当たり部３１となっている。このガイドピン挿入孔２５にはガイドピン５が上方に突出自在に収納してある。
【００２１】
本発明においてガイドピン５は先端（上端部）に磁石８を備え且つ伸縮自在となっており、磁力による吸引力でガイドピン５が上方に引き上げられて突出した状態ではガイドピン５が伸びて長くなり且つ本体７に収納した収納状態では収縮して短くなるようになっている。
【００２２】
すなわち、ガイドピン５は図６、図７に示すように、磁石８を先端に設けた第１ガイド９と第１ガイド９が上方に突出自在に嵌め込まれる筒状をした第２ガイド１０とで構成してある。
【００２３】
図１２に示すように、上端部に磁石８を設けた第１ガイド９の外面部の下端よりやや上方位置に係止部１１が突設してある。
【００２４】
一方、図１１に示すように、筒状の第２ガイド１０の内面部には下端部から上端部のやや下方位置までガイド溝３３が設けてあり、ガイド溝３３の上端部が被係止部１２となっている。また、第２ガイド１０の外面部の下端よりやや上方位置にストッパ用突起３５が突設してある。
【００２５】
上記筒状の第２ガイド１０には下開口部から第１ガイド９を挿入してあり、この場合、係止部１１をガイド溝３３にスライド自在に嵌め込んである。挿入後に第２ガイド１０の下開口部の一部（実施形態ではガイド溝３３の下端部の内面部）を潰して内方に突出させることで抜け止め部１３が形成してある。したがって、第１ガイド９は係止部１１がガイド溝３３の上端部の被係止部１２に当たって係止するまで第２ガイド１０から上方に突出することが可能であり、また、第１ガイド９が第２ガイド１０内に没入した状態で上記係止部１１が抜け止め部１３に当たってそれ以上第１ガイド９が第２ガイド１０に対して下降しないようになっている。
【００２６】
内筒２０に設けた偏芯したガイドピン挿入孔２５には下開口部から第２ガイド１０が挿入してあり、この場合、ストッパ用突起３５がガイド溝３０にスライド自在に嵌め込んである。挿入後に内筒２０の下開口部の一部（実施形態ではガイド溝３０の下端部の内面部）を潰して内方に突出させることで抜け止め部１４が形成してある。したがって、図７に示すように、第２ガイド１０はストッパ用突起３５がガイド溝３０の上端部の当たり部３１に当たるまで内筒２０から上方に突出することが可能であり、また、図６に示すように、第２ガイド１０が内筒２０内に没入した状態で上記ストッパ用突起３５が抜け止め部１４に当たってそれ以上第２ガイド１０が内筒２０に対して下降しないようになっている。
【００２７】
第１ガイド９の上端部に設けた磁石８はＮ極とＳ極が上下方向に並ぶようにしてあり、また、ガイドピン５に設けた磁石８の上面側が上記吊り戸１の下端面の走行溝６の両端部に設けた吸引用磁石１５の外側に位置する極と同極にしてある。つまり、例えば、前述のように吸引用磁石１５の外側がＮ極、内側がＳ極の場合、ガイドピン５の上端部の磁石８の上面側はＮ極に設定してある。
【００２８】
上記のようにして第１ガイド９と第２ガイド１０とよりなる伸縮自在なガイドピン５を複数個床面４に突出引退自在に取付けるのである。ここで、吊り戸１の走行軌跡上に位置する複数のガイドピン５は一直線上に位置させる必要があるが、本発明においては、ガイドピン挿入孔２５の中心を内筒２０の中心に対して偏心させてあるので、ガイドピン５を嵌め込んでいる内筒２０を外筒１９に対して回転することで、平面視におけるガイドピン５の位置を調整し、吊り戸１の走行軌跡（つまり走行溝６の走行軌跡）に合わせることができるものである。
【００２９】
しかして、ランナー３を介して上レール２に吊り下げた吊り戸１を走行させ、吊り戸１の下端面部の走行溝６の端部の吸引用磁石１５の内側の極（実施形態ではＳ極）が床面４下に引退しているガイドピン５と対向する位置までくると、吸引用磁石１５の内側の極とガイドピン５の第１ガイド９の上端部に設けた磁石８の上面の極とが異極であるため磁力により第１ガイド９が上方に引き上げられ、第１ガイド９が上方に引き上げられることで、係止部１１がガイド溝３３内を上昇し、係止部１１が被係止部１２に当たると、第１ガイド９に従動して第２ガイド１０が上方に引き上げられて上方に突出し、これによりガイドピン５が伸張して走行溝６内に入り込む。このようにガイドピン５が伸張して上方に引き上げられる。この状態で吊り戸１を更に移動させると、ガイドピン５は吸引用磁石１５間に設けた磁性体１５ａに磁石８が吸引されて上方に突出して伸張状態が保持され、上記吊り戸１の下端面部の走行溝６がこの伸張したガイドピン５にガイドされながら吊り戸１が移動することになって、吊り戸１の下端部が振れるのを防止することになる。図３にガイドピン５が上方に突出して吊り戸１の下端面部の走行溝６内に入り込んで振れ止めをしながら吊り戸１の走行をガイドしている状態を示している。
【００３０】
上記のようにガイドピン５を走行溝６内に突入させてガイドしながら吊り戸１を走行させて吊り戸１の走行溝６の他端部に設けた吸引用磁石１５の外側の極（実施形態ではＮ極）がガイドピン５の位置まで来ると、吸引用磁石１５の外側の極とガイドピン５の上端部に設けた磁石８の上面の極とが同極であるため反発しあってガイドピン５が下方に引き上げられる力が作用する。このため、走行溝６の他端部に設けた吸引用磁石１５外側に位置する極がガイドピン５の上面と対向する位置になると、互いに同極であるため第１ガイド９が下方に移動し、更に、第１ガイド９が下方に移動することで第２ガイド１０も下方に移動し、図６に示すように第１ガイド９が第２ガイド１０内に没入すると共に第２ガイド１０が本体７の内筒２０内に没入することで、伸縮自在なガイドピン５が収縮状態で床面４下に位置するものである。
【００３１】
ここで、本発明においては、ガイドピン５が前述のように上方への突出状態で伸び且つ本体７への収納状態で収縮するように構成してあるので、ガイドピン５の上方への突出状態において十分な突出距離を確保できながら、床面４下にガイドピン５を没入させた状態で床面４下におけるガイドピン５の収納のために必要な深さを浅く（上下長さを短く）できるので、床スラブ上にフロアー材を直接貼り付けた直貼りフロアーのように床面４から床スラブまでの上下長さが短い床の場合であっても、本発明の吊り戸のガイド装置を床面４下に取付けて使用可能となるものである。つまり、本発明においてはガイドピン５の伸張状態における突出長さよりも本体７の上下長さを短くできて、床面４に形成する穴１８の深さが浅くても本体７を床面４下に埋設して取付けることができると共に収縮した状態でガイドピン５を本体７の内筒２０内に収納することができて、ガイドピン５が床面４上に突出せず、床面４の歩行に当たってガイドピン５が邪魔にならないで歩行できるものである。
【００３２】
ところで、筒状の第１ガイド９と筒状の第２ガイド１０とは共に下端部が開口しており、第１ガイド９と第２ガイド１０との間から入り込んだごみや第２ガイド１０と本体７との間から入り込んだごみを本体７及び第２ガイド１０の下開口部から排出することができて詰まりを防止でき、第１ガイド９が第２ガイド１０に対して上下方向にスムーズにスライドできると共に第２ガイド１０が内筒２０に対して上下方向にスムーズにスライドできるようになっている。
【００３３】
また、前述のように内筒２０をドライバーのような治具で外筒１９に対して上方に引き抜いて脱離させることで、穴１８内の掃除を行うことも可能となるものである。
【００３４】
【発明の効果】
本発明の請求項１記載の発明にあっては、上述のように、床面下に本体を埋設し、本体内に先端に磁石を設けた伸縮自在なガイドピンを上方に突出自在に収納し、該ガイドピンを上方への突出状態で伸び且つ本体への収納状態で収縮するように構成してあるので、ガイドピンが磁力により上方に突出して走行溝に挿入した状態ではガイドピンが伸張して吊り戸の走行をガイドするのに十分な突出長さを確保でき、一方、ガイドピンを床面下に埋設した本体内に収納した状態ではガイドピンが収縮して収納状態における上下長さを短くでき、この結果、ガイドピンを床面下に収納するための収納部分の深さが浅くてよくて、直貼りフロアーのような床面下に深い収納部分が形成できないようなフロアーであっても、吊り戸のガイド装置を床面下に埋設できるものである。
【００３５】
また、請求項２記載の発明にあっては、上記請求項１記載の発明の効果に加えて、ガイドピンを磁石を先端に設けた第１ガイドと第１ガイドが上方に突出自在に嵌め込まれた筒状をした第２ガイドとで構成し、第２ガイドを本体内に上方に突出自在に収納し、第１ガイドの下端部に係止部を設けると共に第２ガイドの上端部に係止部が係止自在な被係止部を設け、第１ガイドが磁力の吸引力で上方に引き上げられた際に係止部が被係止部に係止して第１ガイドに従動して第２ガイドが上方に引き上げられるように構成してあるので、第１ガイドが磁力による吸引で上方に突出した際に、第１ガイドに従動して第２ガイドが上方に突出して、これにより簡単な構成でガイドピンが床面から上方に突出した状態で伸張するものであり、一方、床面下に収納された状態では第２ガイドが本体内に収納され、第１ガイドが第２ガイド内に収納され、簡単な構成でガイドピンの収納深さを浅くできるものである。
【００３６】
また、請求項３記載の発明にあっては、上記請求項２記載の発明の効果に加えて、筒状をした本体及び筒状をした第２ガイドの下端部を下方開口とし、第２ガイドの下開口部に第１ガイドの抜け止め部を形成すると共に筒状の本体の下開口部に第２ガイドの抜け止め部を形成してあるので、第１ガイドと第２ガイドとの間から入り込んだごみや第２ガイドと本体との間から入り込んだごみを本体及び第２ガイドの下開口部から排出することができて詰まりを防止でき、スムーズにガイドピンを伸張させながら床面から突出させたり、スムーズに床面下に収縮状態で収納させたりできるものであり、また、第２ガイドの下開口部に第１ガイドの抜け止め部を形成すると共に筒状の本体の下開口部に第２ガイドの抜け止め部を形成することで、下開口部を設けたと言えども、第１ガイド、第２ガイドが必要以上に下方に落ち込むのを防止できるものである。
【図面の簡単な説明】
【図１】本発明の吊り戸のガイド装置を用いた吊り戸の概略平面図である。
【図２】同上の一部省略した分解斜視図である。
【図３】同上のガイドピンの昇降を説明する一部破断した部分正面図である。
【図４】同上の断面図である。
【図５】同上の正面図である。
【図６】本発明の吊り戸のガイド装置のガイドピンが縮んで本体内に没入している状態を示す断面図である。
【図７】同上の吊り戸のガイド装置のガイドピンが上方に突出して伸張している状態を示す断面図である。
【図８】（ａ）は同上の吊り戸のガイド装置の平面図であり、（ｂ）は正面図である。
【図９】同上に用いる外筒を示し、（ａ）は平面図であり、（ｂ）は正面図であり、（ｃ）は側面図であり、（ｄ）は側面断面図であり、（ｅ）は平断面図である。
【図１０】同上に用いる内筒を示し、（ａ）は平面図であり、（ｂ）は正面図であり、（ｃ）は側面図であり、（ｄ）は底面図である。
【図１１】同上に用いる第２ガイドを示し、（ａ）は平面図であり、（ｂ）は正面図であり、（ｃ）は側面図である。
【図１２】同上に用いる第１ガイドを示し、（ａ）は平面図であり、（ｂ）は正面図であり、（ｃ）は側面図である。
【図１３】従来例の吊り戸のガイド装置の断面図である。
【符号の説明】
１  吊り戸
２  上レール
３  ランナー
４  床面
５  ガイドピン
６  走行溝
７  本体
８  磁石
９  第１ガイド
１０  第２ガイド
１１  係止部
１２  被係止部
１３  抜け止め部
１４  抜け止め部
【図１】
2004225436.tif 000003
【図２】
2004225436.tif 000004
【図３】
2004225436.tif 000005
【図４】
2004225436.tif 000006
【図５】
2004225436.tif 000007
【図６】
2004225436.tif 000008
【図７】
2004225436.tif 000009
【図８】
2004225436.tif 000010
【図９】
2004225436.tif 000011
【図１０】
2004225436.tif 000012
【図１１】
2004225436.tif 000013
【図１２】
2004225436.tif 000014
【図１３】
2004225436.tif 000015